(57)【要約】  この発明は、タブレットおよび／又はカプセルを格納するための容器に関する。その容器は、一体形チャンバーを形成する上側部分（２）および底側部分（５）と、リブ輪郭（４）と、リブ輪郭（４）にスナップロックされるセパレータ手段（６，７）を備える。セパレータ手段は孔あき円盤手段（６，７）を備える。
2014500046.tif 000002
【特許請求の範囲】
【請求項１】
上側部分と底側部分とを備え、前記底側部分は乾燥材料を格納するように適合する一体形チャンバーを形成し；
リブ輪郭が所定の曲率を有する容器の内面に設けられ；
セパレータ手段が前記容器の内側に設けられて前記上側部分と底側部分とを分離し；
前記セパレータ手段は前記リブ輪郭にスナップロックされ、
前記セパレータ手段は周面によって互いに結合される少なくとも２つの実質的に平行な孔あき表面を有する孔あきディスク手段を備え、前記２つの孔あき表面はその表面間に所定の適当な間隔を有し、前記容器の中の製品が前記乾燥材料に接触する可能性がない、タブレットおよび／又はカプセルを格納する容器。
【請求項２】
前記乾燥材料が、サシェ，キャニスター，被膜固形成形品（ＣＳＦ）から選択された形態の中にある請求項１記載の容器。
【請求項３】
閉鎖キャップをさらに備える請求項１又は２に記載の容器。
【請求項４】
前記閉鎖キャップは、ライナー付きねじキャップである請求項３記載の容器。
【請求項５】
前記閉鎖キャップはアルミニウムホイールからなるライナーが随意に詰められる請求項３又は４記載の容器。
【請求項６】
前記閉鎖キャップは、随意に、子供が開けられない閉鎖キャップである請求項３記載の容器。
【請求項７】
前記子供が開けられない閉鎖キャップは、ライナー付きの、子供が開けられない閉鎖キャップである請求項６記載の容器。
【請求項８】
前記子供が開けられない閉鎖キャップは、アルミニウム箔からなるライナーが随意に詰められる請求項６又は７記載の容器。
【請求項９】
説明文と図面を引用して実質的にここに述べられる、タブレットおよび／又はカプセルを格納する容器。
【発明の詳細な説明】
【技術分野】
【０００１】
この発明は、薬剤の性質をもつカプセルやタブレットを収容する容器に関する。
特にこの発明は、孔あきディスク（perforated disc）によって分離された、乾燥材料を収容する一体形チャンバーを備え、それによって中身が乾燥材料に直接触れる可能性を排除して容器内部に湿気のない雰囲気を維持する容器に関する。同時に、容器の口がアルミニウム層からなるライナーによって熱封止されるとき、それによって容器への湿気の浸入が防止される。この発明はまた、乾燥材料が容器の一部であって、製品の分配中に乾燥材料が出てくることのない容器に関する。
【背景技術】
【０００２】
多くの薬剤は、通常、容器内への湿気の吸収を避けるために、非常に低い湿度の大気中でびん詰めされる。しかしながら、中味の一部を取り出すためにビンが消費者によって開けられる度に、大気中の空気が容器に入り込む。これによって、ビンの中の湿度が増大し、中味の悪化を招く結果になる。ビンを開けた後でビンの中に湿気のない雰囲気を維持するために、包装業者は一般的に、錠剤の乾燥材料又は乾燥剤入りの透湿性カプセルをビンの中に置く。しかしながら、消費者が乾燥剤の錠剤やカプセルを不用意に取り除いたり、食べたりする危険性が常にある。そのような材料を摂取することによって、苦痛や重い病気を招くことになる。
【０００３】
その結果として、乾燥材料が容器に収容される製品に接触しないように、容器の中に乾燥材料を設ける試みがなされてきた。
【０００４】
容易に取りはずせない方法で取付けられた乾燥材料を有するビンキャップが、先行技術において知られている。米国特許第2317882号は、乾燥した医薬材料を収容する容器用の閉鎖キャップを開示している。そのキャップは、吸収又は脱水手段を受入れるプラスチック又は金属製の分離したハウジングを備え医薬材料を湿気から守る。
【０００５】
米国特許第4545492号は、容器の中の乾燥状態を維持する装置を開示している。その装置は、乾燥剤を収容する中空部と、少なくとも１つのピンホールを有する非多孔質の上面部材と、多孔質の底面部材とを有するキャップ又は栓である。
【０００６】
米国特許第6986807号は、乾燥材料を有するビンキャップ又はそこに接着された乾燥剤含有パケットを開示している。米国特許第6986807号の他の実施形態では、無包装の乾燥材料や円盤状の乾燥材料が、ビンキャップのライナーと多孔質材料との間に挟まれ、ビンキャップに離脱可能に挿入されるビンキャップ挿入体を形成する。
【０００７】
上述の先行技術の欠点の１つは、蓋／閉鎖物が開いたときに、乾燥剤がいじくられて除去され、容器が乾燥状態を次の使用に備えて維持できないようになるということである。さらに、米国特許第2317882号、同4545492号および同6986807号に記載された容器は、誘導封止を全く備えないので、容器が開かれるまで改善された保護が見られない。はめ込みの乾燥剤を有する容器蓋は、最初の包装に格納する必要があり、余分な手数の処理を要する乾燥剤用の湿度制御を必要とすることも見出された。
【０００８】
米国特許第6986807号の容器では、乾燥剤がキャップのライナーに直接接着されるので、接着剤とライナーから湿気を吸収する傾向がある。それによって乾燥剤の吸収能力が減じることになり、また、乾燥によるライナーの割れを生じ、結局、乾燥剤がキャップから分離されることになる。乾燥剤が分離されると、残りの接着剤が製品を汚染し、薬物の不純物を増大させることになる。無包装の乾燥材料又は円盤状の乾燥材料を有する米国特許第6986807号に記載の容器の場合には、無包装の材料が端から洩れる傾向があり、それによって製品を汚染する。キャップをするときに、ライナーもまた、乾燥剤の固まりに圧力を及ぼし、その固まりを破損させることになる。従って、固形又は無包装の乾燥剤のいずれの場合においても、キャップをすることおよびキャップをはずすことがくり返されるとき、乾燥剤の粒子が端から洩れることがある。
【０００９】
米国特許第6720054号は、容器が、容器内に閉じ込められた乾燥シートと、水非透過性シールを施す容器用水蒸気非透過性カバーとを備える乾燥システムとその製造方法を開示している。そのシートは、第１の基体と、随意の第２の基体と、第１の基体に接着されるか又は第１基体と第２基体との間に閉じ込められる乾燥剤粒子とを備えることができる。バインダー材料は乾燥剤粒を、互いに融合させると共に基体に融合させる。そのシートは、平坦な状態に広がる傾向によりビンの中に閉じ込められるか、又はビンの内面に接着される。製造がコスト的にも技術的にも難しいことを示す特定の方法で乾燥シートをデザインすることが要求された。乾燥剤の量も、乾燥シートのサイズにより制限されるので、乾燥剤の量を増減する選択の自由がない。
【００１０】
米国特許第5114003号は、錠剤の薬物のような吸湿性の材料を収容する小ビンが、その内部の底に固定された乾燥剤の缶を備えることを開示している。その乾燥剤の缶は、使用直前に穴が開けられる。吸湿性の材料を収容する小ビンは、その小ビンの中への水蒸気の浸入を阻止する蓋で密封される。その穴は、十分に小さくて乾燥剤の放出を阻止するが、水蒸気を小ビン内の製品から、又は小ビン内の空間から乾燥剤へ放散させる十分な面積を備える。米国特許第5114003号の密封され包装された乾燥剤を作成する利点は、大気中の湿気のレベルが、小ビンの貯蔵中、つまり乾燥剤の缶に穴が開けられるまでは問題にならないということである。
この先行技術が直面する基本的な問題の１つは、乾燥剤の缶又は袋が特定の製品および容器の直径に基づいて特別に設計されるということである。さらに、乾燥剤の缶は機械的に穿孔されるので、それらの容器が手で取り扱われたり運搬されたりするときに、そのように形成された孔は、特にシリカゲルのような乾燥剤に対して、微細乾燥剤粒子が洩れる通路を与えることがある。シリカゲルは、自然に得られる材料であり、特定の粒径分布が見出せない。従って、この用途に対しては、乾燥剤としてシリカゲルを用いることが制限される。
【００１１】
米国特許第7,011,222号は、（ａ）中心軸を有し、中央ベースと、中央ベースから外側へおよび上方へ間隔を有して延びる複数の放射状支持部材とによって形成されるキャップ部材と、（ｂ）第１端部および第２端部を有し、中心軸に沿って第１端部でキャップ部材に接続され放射状支持部材から離れて下方へ延びる剛体のステム部材とを備えた容器挿入体を開示する。そのキャップ部材は、乾燥材料を備え、容器の中で薬剤（粉末、ゲル、カプセル、その他）の水平面より上にあり、乾燥が保たれる中味の上方に乾燥剤を維持する。この先行技術の容器は、乾燥剤をまず容器挿入体に沿って除去した後に製品を除去しなければならないので、異なる分配システムを有することが見出された。製品が分配される度に、挿入キャップ部材は難しい処理を通じて置換される必要がある。
【００１２】
日本国特許出願、特開2005-263227号公報は、食品を収容する蓋付き主容器と、主容器の底に固定的に嵌入され乾燥剤で満たされたフランジ付き乾燥剤容器とを備え、主容器から乾燥剤容器を容易に確実に除去することによる単純な作業で分割可能な食品包装容器を開示している。従って、主容器の底に嵌入されたフランジ付き乾燥剤容器は、特開2005-263227号公報における主容器に一体化された部分ではない。特開2005-263227号公報における乾燥剤容器と主容器との間のフランジ付き部分は、ガスや水蒸気を透過させることができる。フランジ付き部分を介しての湿気の浸入によって、乾燥剤は早く飽和し、製品に対する長期間の十分な防湿を行わない。また、フランジ付き乾燥剤容器の場合には、運送における機械的な危険により２つの部品に分離される可能性がある。さらに、もし乾燥剤容器が分離されると、製品は大気に曝され、製品の安定性が著しく冒されるであろう。
【００１３】
日本国特許出願、特開昭62-27905号公報は、仕切り板で分離された容器の底で乾燥剤と共にプラスチック容器の中に設置された発泡性農薬錠剤を記載している。しかし、特開昭62-27905号公報の容器は、製品を収容する主容器から乾燥剤を分離するための隔壁を有する。一方、本願発明の場合には、セパレータはスナップ嵌合された部品、つまり孔を有する射出成形されたプラスチック円盤である。本願発明のセパレータは、ロック機構によって設置され、一度嵌合されると、その位置から移動できない。さらに、特開昭62-27905号公報における製品は、先ず箔基材バッグに、次に容器に詰められなければならず、特開昭62-27905号公報の容器の口がアルミニウム箔基材シートによって密封される。
【００１４】
発明の目的
この発明の基本的な目的は、先行技術の欠点を克服することである。
【００１５】
この発明の目的は、製品の良好な防湿を長期間に示す乾燥材料を収容する一体形チャンバーを備える容器を提供することである。
【００１６】
この発明の他の目的は、容器の中味を乾燥材料に接触させない分離手段を備えた容器を提供することである。
【００１７】
この発明の他の目的は、産業で利用可能な存在するすべての乾燥材料が、作り変えや修正を必要とすることなく使用できることである。
【００１８】
この発明の他の目的は、外へ出てくることがないため使用中に乾燥剤を再充填する必要がない容器を提供することである。
【００１９】
従って、この発明の目的は、容器の空気から湿気を効果的に、かつ、効率的に除去し、同時に、容器の口がアルミニウム層からなるライナーによって熱封止されるときに容器への湿気の浸入を阻止する装置を備えることである。
【００２０】
発明の要旨
この発明の１つの観点によれば、上側部分と底側部分とを備え、前記底側部分は乾燥材料を格納するように適合する一体形チャンバーを形成し；
リブ輪郭が所定の曲率を有する容器の内面に設けられ；
セパレータ手段が前記容器の内側に設けられて前記上側部分と底側部分とを分離し；
前記セパレータ手段は前記リブ輪郭にスナップロックされ、
前記セパレータ手段は、周面によって互いに結合される少なくとも２つの実質的に平行な孔あき表面を有する孔あきディスク手段を備え、前記２つの孔あき表面はその表面間に所定の適当な間隔を有し、前記容器の中の製品が前記乾燥材料に接触する可能性がない、タブレットおよび／又はカプセルを格納する容器が提供される。
【００２１】
発明の詳細な説明
この発明は、タブレットおよび／又はカプセルを格納する容器を提供する。この発明の容器は、容器が開いている間に、容器へ浸入する湿気を処理する乾燥材料を収容するための一体形チャンバーを有する。以下の説明において、容器の異なる構成要素が述べられている。この発明において用いられる構成要素／部品は、それらの技術的均等物によって置換可能であり、さらにこの発明は実施可能で、容器の構成要素／部品のいずれも、限定されるものではないことが理解されるべきである。
【００２２】
その容器は、乾燥材料を格納するための一体形チャンバーを形成する、上側部分と底側部分を備える。容器の内面は所定の弯曲を有するリブ輪郭を備える。容器はさらに、上側部分と底側部分とを分離するリブ輪郭にスナップロックされた（snap-locked）セパレータ手段を備える。セパレータ手段は外周表面によって互いに結合される少なくとも２つの実質的に平行な孔あき表面を有する孔あき円盤手段を備える。そのようなデザインは、前記容器の製品が乾燥材料に接触することがないように孔あき表面間に適当な間隔を備える。
【００２３】
この発明の１つの実施形態は、一体形チャンバー内に設けられた乾燥材料が、サシェ，キャニスター，又はＣＳＦとして知られる圧縮されポリマー被膜固体成形品の形態の中にあることを記載する。
【００２４】
セパレータ手段の形状は、容器の形状に依存する。この実施形態は、円筒／円形の形状を有する容器を記載している。しかしながら、容器のそのような形状は、この発明を限定するものではない。他の部品／構成要素の形状は、容器の使い勝手に適合するように容器の形状によって変化する。セパレータ手段は、射出成形可能な、ＨＤＰＥ，ＰＰ又は他の熱可塑性ポリマー又はコポリマーから作られる。セパレータ手段は、本願発明の容器に設けられるリブ輪郭に圧力嵌入（press-fitted）される。セパレータ手段と容器のリブとのそのようなタイプの圧力嵌入結合は、使用中に分離器が容易に容器から除去されないように、セパレータ手段に適当なスナップロックを与える。
【００２５】
この発明の容器は、ライナーが挿入されたもの又は挿入されないもののいずれかの、子供が開けられないキャップ又は通常のねじのキャップであるプラスチックの蓋を用いて閉鎖できる。その蓋はまた、容器の内への湿気の浸入を排除する誘導封止（induction sealing）を与えることが可能なアルミニウム箔付きライナー（wad）を備えることができる。この発明の乾燥容器の蓋は、容器に格納される製品によって閉鎖ライナーを変化させることができた。
【００２６】
この発明による容器は、形やサイズの如何にかかわらず広い口を有することができ、高密度ポリエチレン（HDPE），ポリプロピレン（PP）又は他の吹込成形可能な熱可塑性ポリマー又はコポリマーから作ることができる。
【００２７】
この容器のサイズは、２０ミリリットルまで小さく、かつ、１０リットルまで大きくでき、とくに、容器用の吹込成形処理と分離器用の射出成形処理による製造に適したサイズであればいずれでもよい。
【００２８】
容器に供給される乾燥剤の量は、容器のサイズと、収容される製品とに依存する。
【図面の簡単な説明】
【００２９】
【図１（ａ）】図１（ａ）は、この発明の乾燥容器の縦断面図を示す。
【図１（ｂ）】図１（ｂ）は、この発明の乾燥容器の縦外観図を示す。
【図１（ｃ）】図１（ｃ）は、この発明の乾燥容器の断面図を示す。
【図２（ａ）】図２（ａ）は、この発明の乾燥容器のセパレータ手段の側面図を示す。
【図２（ｂ）】図２（ｂ）は、この発明の乾燥容器のセパレータ手段の上面図を示す。
【００３０】
図面の詳細な説明
図１（ａ）は、この発明の乾燥容器の縦断面図を示す。その容器は形状が円筒形である。容器の頚部（１）は、容器本体よりも小さい直径を有し、その外周にねじ山（３）を備える。その容器は、２つの部分を有し、上側部分（２）は製品を格納し、底側部分（５）は乾燥材料を格納する。容器の２つの部分（２）と（５）の間には、直径が容器の他の部分より小さいくびれの領域（４）がある。このくびれ領域は、この発明のセパレータ手段を取り付ける、この発明のリブ状の輪郭を備える。セパレータ手段は、容器のくびれ領域の直径に匹敵する直径を有する。
【００３１】
図１（ｂ）は、頚部（１），ねじ山（３），上側部分（２），くびれリブ領域（４）および底側部分（５）を有する乾燥容器の縦の外観を示す。
【００３２】
図１（ｃ）は、この発明の乾燥容器の断面図を示す。
【００３３】
図２（ａ）は、この発明の乾燥容器のセパレータ手段の側面図を示す。セパレータ手段は、２つのディスク間に間隔を有する２つの孔あきディスク（６）および（７）と、表面（６）と（７）を結合する周面（８）とを備える。２つの穴付きディスクは複数の穿孔（９）を有する。
【００３４】
図２（ｂ）はこの発明の容器のセパレータ手段の、複数の穿孔（９）を備えた孔あきディスクの上面図を示す。
【００３５】
利点
この発明の乾燥容器は、アルミニウム箔をベースとするライナーを用いて容器の口を密封し、それによって湿気からの優れた保護を提供する利点を有する。
【００３６】
この発明の乾燥容器は、容器の口に誘導加熱密封（induction heat seal）を施して開封の形跡が残るようにすることにより、開封の形跡を示すための追加の手段を用いる必要がない。
【００３７】
さらに、この発明の容器は、きわめてわずかの調整により現在の包装ラインで使用されるという利点を有する。
【００３８】
この発明の他の利点は、異なるタイプの乾燥材料の種々の組合せや、現存する包装材料に属するサシェ（sachet），キャニスター，ＣＳＦ，つまり被膜固形成形品のような形の酸素吸収剤を使用する自由にある。
【００３９】
乾燥剤が製品に直接接触する従来の包装形式に用いられるとき、乾燥剤のサシェやキャニスターの印刷された表面からインクが製品に移ることがある。この発明の乾燥容器は、製品と乾燥剤との間に設けられた、この発明の分離手段により、乾燥剤のサシェの印刷表面から製品へインクが移る可能性を除去する。
【００４０】
この発明の他の利点は、乾燥材料が容器の一部であって外へ出てくることがなく、従って、乾燥剤の丸薬やサシェやキャニスターが消費者によって摂取される危険を減少させる容器に関する。
【図１（ａ）】
2014500046.tif 000003
【図１（ｂ）】
2014500046.tif 000004
【図１（ｃ）】
2014500046.tif 000005
【図２（ａ）】
2014500046.tif 000006
【図２（ｂ）】
2014500046.tif 000007
【国際調査報告】
2014500046.tif 000008
2014500046.tif 000009